(57)【要約】【課題】天井部前端の冷気吹出口に側断面矩形状の平形ハニカム整流体を用いた場合でも、冷気吹出口からの冷気エアカーテンの整流化（庫内側を速く、庫外側を遅くする）を効果的に図ることのできる冷蔵オープンショーケースを提供する。【解決手段】本体１１を形成する断熱壁と、その本体内に設けられた貯蔵室１３と、前記断熱壁と前記貯蔵室との間に設けられた冷気ダクト１４と、冷気ダクト１４に連通して貯蔵室１３の上部前端に開口する本体幅方向に長い下向きの冷気吹出口１７とを有し、この冷気吹出口１７から吹き出される冷気のエアカーテンにより貯蔵室内を保冷するオープンショーケースにおいて、冷気吹出口１７に平形ハニカム整流体１８を取り付けるとともに、この平形ハニカム整流体１８上方の本体天井面１１ａに、冷気ダクト内を通過する冷気の流れを平形ハニカム整流体１８の庫外側よりも庫内側により多く送り込むための整流板２０を設ける。【選択図】　　図２
2004011999.tif 000002
【特許請求の範囲】
【請求項１】
本体を形成する断熱壁と、その本体内に設けられた貯蔵室と、前記断熱壁と前記貯蔵室との間に設けられた冷気ダクトと、該冷気ダクトに連通して前記貯蔵室の上部前端に開口する本体幅方向に長い下向きの冷気吹出口とを有し、該冷気吹出口から吹き出される冷気のエアカーテンにより貯蔵室内を保冷するオープンショーケースにおいて、前記冷気吹出口に取り付けた側断面矩形状の平形ハニカム整流体の上方に、前記冷気ダクト内を通過する冷気の流れを該整流体の庫外側よりも庫内側により多く送り込むための整流板を設けたことを特徴とするオープンショーケース。
【請求項２】
前記整流板は、冷気吹出口とほぼ同幅を有する横長の矩形平板の長手方向の一側を折曲して形成した固定片と残りの整流片とからなり、前記固定片を整流体上方の断熱壁天井面に固定して、前記整流片を冷気吹出口の幅方向全体に亘り天井面から整流体方向に向けて突設させ、かつこの突設させた整流片の下端と前記整流体の上端との間に所定の間隔を設けたことを特徴とする請求項１記載のオープンショーケース。
【請求項３】
前記整流板は、前記天井面から突設させた整流片が、庫内側から庫外側へ傾斜して設けられていることを特徴とする請求項２記載のオープンショーケース。
【請求項４】
前記整流片によって仕切られた冷気ダクト内の前後方向幅は、冷気吹出口に取り付けられた前記平形ハニカム整流体の庫内側を庫外側よりも広く形成したことを特徴とする請求項２又は３記載のオープンショーケース。
【請求項５】
前記整流板は、天井面から突設させた整流片に複数の通気孔を形成したことを特徴とする請求項２，３又は４記載のオープンショーケース。
【請求項６】
前記整流片の通気孔は、主に該整流片の下部側に形成したことを特徴とする請求項５記載のオープンショーケース。
【発明の詳細な説明】
【０００１】
【発明の属する技術分野】
本発明は、冷蔵商品を保存・陳列する貯蔵室を備えたオープンショーケースに係り、特に、天井部前端の冷気吹出口に側断面矩形状の平形ハニカム整流体を用いた場合でも、冷気吹出口からの冷気エアカーテンの整流化（庫内側を速く、庫外側を遅くする）を効果的に図ることのできる冷蔵オープンショーケースに関する。
【０００２】
【従来の技術】
従来から、スーパーマーケットやコンビニエンスストア等の店舗においては、冷蔵食品や生鮮食品等の冷蔵商品の陳列に、本体ケースの前面に商品取り出し用の開口を設け、その開口を冷気のエアカーテンで覆って庫内の陳列商品を保冷する冷蔵オープンショーケースが広く用いられている。
【０００３】
図４は、この種オープンショーケースの冷気吹出口部の構造を示すもので、断熱壁からなる天井パネル３１と貯蔵室を形成する内部パネル３２との間に、冷気ダクト３３が形成され、このダクト３３の天井部先端には、下向きに開口する冷気吹出口３４がケース幅方向全体に亘って形成されている。そして、この下向きの冷気吹出口３４には、側断面台形状の台形ハニカム整流体３５が嵌め込まれており、冷気ダクト３３を通って来た冷気は、この台形ハニカム整流体３５の冷気通路を通って冷気吹出口３４から下方に向けて吹き出されることにより、ショーケース前面開口部に冷気のエアカーテンを形成し、庫内を保冷するようにしている。
つまり、この冷気吹出口３４に設けられるハニカム整流体は、庫内側（ケース後側）の風速を速くし、庫外側（ケース前側）に行くに連れて遅くなるように、庫内側よりも庫外側の冷気通路を長く形成した側断面台形状の台形ハニカム整流体３５であるが、これを用いて庫内側の風速を速くし庫外側に行くほど遅くなるように冷気を吹き出すと、庫外の温かい空気を庫内側に巻き込むことなく冷気エアカーテンが整流化され、外部の暖気が庫内に入って冷却性能を阻害するようなことはない。
【０００４】
【発明が解決しようとする課題】
しかしながら、上記台形ハニカム整流体は、ハニカム面の切断加工に手間が掛かるため、価格的に高価とならざるを得ない欠点があった。
安価にするには、側断面矩形状の平形ハニカム整流体を用いればよいが、単に平形ハニカム整流体を用いただけでは、庫内側と庫外側の風速に差がつかず、上記エアカーテンの整流化（庫内側の風速を速くし、庫外側を遅くする）を行うことができないため、台形ハニカム整流体に比べると大幅に冷却性能が劣ってしまう。
【０００５】
本発明は、上記の点に鑑み創案されたもので、その目的とするところは、ケース本体天井部の冷気吹出口に、側断面矩形状の平形ハニカム整流体を取り付けた場合においても、その整流体の冷気通路を通って下方に吹き出される冷気により、確実にエアカーテンの形成ができるオープンショーケースを提供することにある。
【０００６】
【課題を解決するための手段】
上記の課題を解決するため、本発明のオープンショーケースにおいては、本体を形成する断熱壁と、その本体内に設けられた貯蔵室と、前記断熱壁と前記貯蔵室との間に設けられた冷気ダクトと、該冷気ダクトに連通して前記貯蔵室の上部前端に開口する本体幅方向に長い下向きの冷気吹出口とを有し、該冷気吹出口から吹き出される冷気のエアカーテンにより貯蔵室内を保冷するオープンショーケースにおいて、前記冷気吹出口に取り付けた整流体、特に側断面矩形状の平形ハニカム整流体の上方に、前記冷気ダクト内を通過する冷気流を該整流体の庫外側よりも庫内側により多く送り込むための整流板を設けたことを特徴としている。
【０００７】
また、前記整流板は、冷気吹出口とほぼ同幅を有する横長の矩形平板の長手方向の一側を折曲して形成した固定片と残りの整流片とからなり、前記固定片を整流体上方の断熱壁天井面に固定して、前記整流片を冷気吹出口の幅方向全体に亘り天井面から整流体方向に向けて突設させ、かつこの突設させた整流片の下端と整流体の上端との間に所定の間隔を設けたことを特徴としている。
さらに、前記整流板は、前記天井面から突設させた整流片が、庫内側から庫外側へ傾斜して設けられていること、前記整流片によって仕切られた冷気ダクト内の前後方向幅は、冷気吹出口に取り付けられた前記平形ハニカム整流体の庫内側を庫外側よりも広く形成したこと、及び前記整流板の整流片には複数の通気孔を形成したこと、特にこの通気孔は、主に整流片の下部側に形成したことを特徴としている。
【０００８】
本発明は、上記構成を採用したことにより、冷気吹出口に平形ハニカム整流体を取り付けた場合においても、その上方に設けた整流板の作用により、整流体の庫内側の冷気通路を流れる冷気流速を速くし、庫外側の冷気通路を流れる冷気流速を遅くしたので、吹出口から下方に向けて吹き出された冷気はスムーズなエアカーテンの流れをつくることができる。つまり、冷気ダクト内を通って吹出口に向かう冷気流は、冷気吹出口の幅方向全体に亘り天井面から整流体方向に向けて突設された整流片に当たるので、ハニカム整流体の庫内側の冷気流路に、より多くの冷気が流れ込み、庫内側の整流体冷気通路内を流れる冷気流速の方が、庫外側を流れる冷気流速よりも速くなる。その結果、平形ハニカム整流体を冷気吹出口に取り付けたものであっても、エアカーテンの整流化を図ることができる。
【０００９】
【発明の実施の形態】
以下、本発明の好ましい実施の形態を図面に基づき詳細に説明する。
図１は本発明が適用された冷蔵オープンショーケースの断面側面図、図２は天井部前端の冷気吹出口付近の整流板取付構造を示す断面側面図、図３は整流板の斜視図である。
【００１０】
図１に示すように、本発明の冷蔵オープンショーケース１０は、前面開口の箱形に形成された断熱壁からなるケース本体１１と、そのケース本体１１内に内部パネル１２によって区画形成された前面開口の貯蔵室１３とを備えている。この断熱壁からなるケース本体１１とその内側の貯蔵室を形成する内部パネル１２間には、冷気を循環させる冷気ダクト１４を備えている。
【００１１】
この冷気ダクト１４内には、冷却器１５と循環ファン１６が配設されており、また、ケース天井部の前端には、この冷気ダクト１４に連通して下向きに開口する冷気吹出口１７が設けられている。この冷気吹出口１７は、ケース本体幅に合わせて横方向に長く形成されており、ここには吹き出し冷気の整流化を図って冷気のエアカーテンを作るためのハニカム整流体１８が嵌め込まれている。
【００１２】
このハニカム整流体１８は、上下方向に細長い冷気通路１８ａを多数備えたもので、従来より存在する一般的な側断面矩形状の平形ハニカム整流体を用いればよい。平形ハニカム整流体であれば、側断面台形の台形ハニカム整流体よりもハニカム面の切断加工が簡単で、製造コストが安価に済む。素材としては、ポリ塩化ビニル等の熱可塑性樹脂を用いているが、必要に応じて、シリカゲル，銀等の抗菌剤を混入したものを用いてもよい。また、紙素材に、シリカゲル，銀等の抗菌剤を混入したポリ塩化ビニル等の熱可塑性樹脂をコーティングして形成したものでもよい。形態的にも、平面シートと波形シートとを交互に積層して冷気通路１８ａを形成したものであってもよいし、平面シートと多数の並設した円形又は楕円形筒体とを交互に積層して冷気通路１８ａを形成したようなものであってもよい。これらの整流体は、クリップ等を用いて冷気吹出口１７に着脱自在に取り付けられる。
なお、冷蔵商品の貯蔵室１３には内部パネル１２に後端を掛け止めした複数の商品陳列棚１３ａ等が設けられて、ここに保冷商品が陳列される。
【００１３】
このショーケースは、冷気ダクト１４内の循環ファン１６の作用により、ケース下部前端に設けた吸込口１９から空気を吸い込み、この吸い込んだ空気を冷気ダクト内の冷却器１５を通過させる際に熱交換させて冷却し、この冷却空気（冷気）を冷気ダクト１４を通して連通する天井部前端の冷気吹出口１７から冷気のエアカーテンとして下方に吹き出させて庫内を冷却した後、再び下部前端の吸込口１９から冷気ダクト１４内に吸い込んで循環させるという冷気の循環構造をとっている。
【００１４】
そして、本発明の要旨は、図２に詳細を示すように、冷気吹出口１７に取り付けた平形ハニカム整流体１８の上方に、前記冷気ダクト１４内を通る冷気を整流体の外側よりも庫内側により多く送り込むための整流板２０を設けたことにある。これにより、比較的ハニカム面の切断加工に手間が掛かり製造に手間取りやすい台形ハニカム整流体を用いずに、安価な平形ハニカム整流体を用いても、台形ハニカム整流体を用いた場合と同様な冷気エアカーテンの整流化が可能となる。
【００１５】
この整流板２０は、図２及び図３に示すように、冷気吹出口１７とほぼ同幅を有する横長の矩形平板の長手方向の一側を折曲して固定片２１とし、残りの他側を整流片２２としたもので、この固定片２１をハニカム整流体上方の断熱壁天井面１１ａ（ケース本体）にネジ止めし、残りの整流片２２を冷気吹出口１７の幅方向全体に亘って天井面１１ａからハニカム整流体１８方向に向けて突出させている。また、この突出形成した整流片２２は固定した天井側から下方に向かうに連れて庫内側から庫外側へ傾斜して設けられており、冷気の流れをスムーズにしている。また、突出形成した整流片２２の下端２２ａと整流体１８の上端１８ｂとの間に所定の間隔を設けることにより、庫外側にも冷気が流れるようにしている。このとき、整流片２２によって仕切られた冷気ダクト１４内の前後方向幅は、冷気吹出口１７に取り付けられたハニカム整流体１８の庫内側を庫外側よりも広く形成することにより、ハニカム整流体の冷気通路１８ａをできるだけ広範囲に利用した冷気の吹き出しが可能となる。庫内側が狭すぎては、庫外側のハニカム整流体の冷気通路１８ａに流れる冷気があまりにも少量となり、必要な冷気のエアカーテンが形成し難くなる。
【００１６】
この整流板２０は、天井面１１ａから突設させた整流片２２を板状のまま用いることができるが、整流片２２に複数の通気孔２３を穿設して、そこから一部の冷気をハニカム整流体１８の庫外側に向かわせることもできる。この場合、通気孔２３は、図３のように、整流片２２の下部側に形成しておけば十分である。
【００１７】
このように、本実施の形態によれば、側断面矩形状の平形ハニカム整流体１８を冷気吹出口１７に用いても、ハニカム整流体１８の上方位置に整流板２０を一枚取り付けるだけで、庫内側の吹き出し速度を速く、庫外側の吹き出し速度を遅くという設定にできるので、整流板２０という簡単な構造の付加でありながら、十分な冷気エアカーテンの整流効果が得られる。
【００１８】
【発明の効果】
以上説明したように、本発明のオープンショーケースによれば、冷気吹出口上方に整流板を取り付けているので、断面矩形状の平形ハニカム整流体を冷気吹出口に取り付けた場合でも、整流板の作用で吹き出し冷気の庫内側の吹き出し速度を速く、庫外側の吹き出し速度を遅くという冷気エアカーテンの整流化を図ることができる。それため、ハニカム面の切断加工に手間取り製造が面倒で高価となり易い台形ハニカム整流体を用いなくて済む。
【図面の簡単な説明】
【図１】本発明が適用された冷蔵オープンショーケースの断面側面図である。
【図２】同じく天井部前端の冷気吹出口付近における整流板取付構造を示す拡大断面側面図である。
【図３】同じく整流板の斜視図である。
【図４】従来の冷蔵オープンショーケースの冷気吹出口部の断面側面図である。
【符号の説明】
１０　冷蔵オープンショーケース
１１　ケース本体
１１ａ　天井面
１２　内部パネル
１３　貯蔵室
１３ａ　商品陳列棚
１４　冷気ダクト
１５　冷却器
１６　循環ファン
１７　冷気吹出口
１８　平形ハニカム整流体
１８ａ　整流体の冷気通路
１８ｂ　整流体の上端
１９　吸込口
２０　整流板
２１　固定片
２２　整流片
２２ａ　整流片の下端
２３　通気孔
【図１】
2004011999.tif 000003
【図２】
2004011999.tif 000004
【図３】
2004011999.tif 000005
【図４】
2004011999.tif 000006